【事件の表示】
　平成１１年商標登録願第８９３８３号拒絶査定に対する審判事件について、次のとおり審決する。
【結論】
　原査定を取り消す。
　本願商標は、登録すべきものとする。
【理由】
１　本願商標
　本願商標は、別掲（１）のとおりの構成よりなり、第２類、第４類、第５類、第７類、第１３類、第１５類、第１７類、第１９類、第２２類、第２３類、第３１類、第３４類、第３５類、第３７類、第４０類、第４１類及び第４２類に属する願書記載のとおりの商品及び役務を指定して、平成１１年１０月１日に登録出願、その後、指定商品及び指定役務については、最終的に当審における平成１４年６月７日及び平成１５年６月６日付け手続補正書により、第２類「塗料，染料，顔料，印刷インキ（「謄写版用インキ」を除く。），謄写版用インキ，絵の具，塗装用・装飾用・印刷用又は美術用の非鉄金属はく及び粉，塗装用・装飾用・印刷用又は美術用の貴金属はく及び粉，防錆グリース，カナダバルサム，壁紙剥離剤，コパール，サンダラック，シェラック，松根油，ダンマール，媒染剤，マスチック，松脂，木材保存剤」、第４類「工業用油，工業用油脂，固体燃料，液体燃料，気体燃料，ろう，靴油，固形潤滑剤，保革油，ランプ用灯しん，ろうそく」、第５類「薬剤，歯科用材料，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，医療用腕環，失禁用おしめ，人工受精用精液，乳児用粉乳，乳糖，はえ取り紙，防虫紙」、第７類「金属加工機械器具，鉱山機械器具，土木機械器具，荷役機械器具，化学機械器具，繊維機械器具，食料加工用又は飲料加工用の機械器具，製材用・木工用又は合板用の機械器具，パルプ製造用・製紙用又は紙工用の機械器具，印刷用又は製本用の機械器具，包装用機械器具，プラスチック加工機械器具，半導体製造装置，ゴム製品製造機械器具，石材加工機械器具，動力機械器具（陸上の乗物用のもの及び「水車・風車」を除く。），陸上の乗物用の動力機械の部品，水車，風車，風水力機械器具，耕うん機械器具（手持ち工具に当たるものを除く。），栽培機械器具，収穫機械器具，植物粗製繊維加工機械器具，飼料圧搾機，飼料裁断機，飼料配合機，飼料粉砕機，牛乳ろ過器，搾乳機，育雛器，ふ卵器，蚕種製造用又は養蚕用の機械器具，漁業用機械器具，ミシン，ガラス器製造機械，靴製造機械，製革機械，たばこ製造機械，機械式の接着テープディスペンサー，自動スタンプ打ち器，起動器，交流電動機及び直流電動機（陸上の乗物用の交流電動機及び直流電動機（その部品を除く。）を除く。），交流発電機，直流発電機，機械式駐車装置，芝刈機，修繕用機械器具，業務用電気洗濯機，業務用食器洗浄機，業務用電気式ワックス磨き機，業務用電気掃除機，家庭用食器洗浄機，家庭用電気式ワックス磨き機，家庭用電気洗濯機，家庭用電気掃除機，電気ミキサー，電機ブラシ，電動式カーテン引き装置，陶工用ろくろ，塗装機械器具，乗物用洗浄機，廃棄物圧縮装置，廃棄物破砕装置，軸，軸受，軸継ぎ手，ベアリング，動力伝導装置，緩衝器，ばね，制動装置，バルブ，消毒・殺虫・防臭用散布機（農業用のものを除く。）」、第１３類「銃砲，銃砲弾，火薬，爆薬，火工品及びその補助器具，戦車」、第１５類「楽器，演奏補助品，音さ，調律機」、第１７類「ゴム，糸ゴム及び被覆ゴム糸（織物用のものを除く。），化学繊維糸（織物用のものを除く。），化学繊維（織物用のものを除く。），ゴム製又はバルカンファイバー製の座金及びワッシャー，蹄鉄（金属製のものを除く。），ゴム製又はバルカンファイバー製のバルブ（機械要素に当たるものを除く。），ゴムひも，石綿ひも，ゴム製包装用容器，ゴム製栓，ゴム製ふた，プラスチック基礎製品，雲母，石綿，岩石繊維，鉱さい綿，石綿網，石綿糸，石綿織物，石綿製フェルト，岩石繊維製防音材（建築用のものを除く。），石綿の板，石綿の粉，コンデンサーペーパー，石綿紙，バルカンファイバー，電気絶縁材料，オイルフェンス，ガスケット，管継ぎ手（金属製のものを除く。），パッキング，消防用ホース，石綿製防火幕，絶縁手袋，農業用プラスチックフィルム」、第１９類「建築用又は構築用の非金属鉱物，陶磁製建築専用材料・れんが及び耐火物，リノリューム製建築専用材料，プラスチック製建築専用材料，合成建築専用材料，アスファルト及びアスファルト製の建築用又は構築用の専用材料，ゴム製の建築用又は構築用の専用材料，しっくい，石灰製の建築用又は構築用の専用材料，石こう製の建築用又は構築用の専用材料，繊維製の落石防止網，建造物組立てセット（金属製のものを除く。），セメント及びその製品，木材，石材，建築用ガラス，無機繊維の板及び粉（石綿製のものを除く。），石こうの板，鉱さい，タール類及びピッチ類，可搬式家庭用温室（金属製のものを除く。），人工魚礁（金属製のものを除く。），セメント製品製造用型枠（金属製のものを除く。），吹付け塗装用ブース（金属製のものを除く。），養鶏用かご（金属製のものを除く。），区画表示帯，土砂崩壊防止用植生板，窓口風防通話板，航路標識（金属製又は発光式のものを除く。），道路標識（金属製又は発光式のものを除く。），石製液体貯蔵槽，石製工業用水槽，石製家庭用水槽，送水管用バルブ（金属製又はプラスチック製のものを除く。），ビット及びボラード（金属製のものを除く。），石製郵便受け，灯ろう，飛び込み台（金属製のものを除く。），墓標及び墓碑用銘板（金属製のものを除く。）」、第２２類「綿繊維，麻繊維，絹繊維，毛繊維，織物用化学繊維，織物用無機繊維（石綿を除く。），編みひも，真田ひも，のり付けひも，よりひも，綱類，網類（金属製又は石綿製のものを除く。），衣服綿，ハンモック，布団袋，布団綿，布製包装用容器，わら製包装用容器，ターポリン，帆，雨覆い，天幕，日覆い，よしず，日よけ，ザイル，登山用又はキャンプ用のテント，靴用ろう引き縫糸，おがくず，カポック，かんなくず，木毛，もみがら，ろうくず，牛毛，人毛，たぬきの毛，豚毛（ブラシ用のものを除く。），馬毛，羽」、第２３類「糸（脱脂屑糸を除く。），脱脂屑糸」、第３１類「あわ，きび，ごま，そば，とうもろこし，ひえ，麦，籾米，もろこし，うるしの実，コプラ，麦芽，ホップ，未加工のコルク，やしの葉，食用魚介類（生きているものに限る。），海藻類，獣類・魚類（食用のものを除く。）・鳥類及び昆虫類（生きているものに限る。），蚕種，種繭，種卵，飼料，釣り用餌，果実，野菜（「茶の葉」を除く。），茶の葉，糖料作物，種子類，木，草，芝，ドライフラワー，苗，苗木，花，牧草，盆栽，生花の花輪，飼料用たんぱく」、第３４類「たばこ，紙巻きたばこ用紙，喫煙用具（貴金属製のものを除く。），マッチ」、第３５類「野球場内で放映するテレビジョンによる広告の代理，野球場内のラジオ放送による広告の代理，冊子における広告スペースの提供，野球場施設における広告掲示スペースの提供，郵便物による広告物の配布及びその他の広告，販売促進のための商品展示会の運営，トレーディングスタンプの発行，新聞の予約購読の取次ぎ，経営の診断及び指導，市場調査，商品の販売に関する情報の提供，ホテルの事業の管理，財務書類の作成，職業のあっせん，競売の運営，輸出入に関する事務の代理又は代行，速記，筆耕，書類の複製，文書又は磁気テープのファイリング，電子計算機・タイプライター・テレックス又はこれらに準ずる事務用機器の操作，建築物における来訪者の受付及び案内，電話の取次代行，広告用具の貸与，複写機その他の事務用機械器具の貸与」、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設置工事，さく井工事，電気工事，電気通信工事，熱絶縁工事，防蝕工事，建築工事に関する助言，建築工事の監理，建築設備の運転・点検又は整備，船舶の建造，船舶の修理又は整備，航空機の修理又は整備，自転車の修理，自動車の修理又は整備，硬貨作動式洗車機の提供，自動車の洗車，自動車車体のツヤ出し，鉄道車両の修理又は整備，二輪自動車の修理又は整備，映写機の修理又は保守，写真機械器具の修理又は保守，エレベーターの修理又は保守，エスカレーターの点検・修理又は保守，火災報知機の修理又は保守，事務用機械器具の修理又は保守，暖冷房装置の修理又は保守，バーナーの修理又は保守，ボイラーの修理又は保守，ポンプの修理又は保守，冷凍機械器具の修理又は保守，電子計算機（中央処理装置及び電子計算機用プログラムを記憶させた電子回路・磁気ディスクその他の周辺機器を含む。）の修理又は保守，その他の電子応用機械器具の修理又は保守，電話機の修理，土木機械器具の修理又は保守，ラジオ受信機又はテレビジョン受信機の修理，電気通信機械器具（電話機・ラジオ受信機及びテレビジョン受信機を除く。）の修理又は保守，民生用電気機械器具の修理又は保守，照明用器具の修理又は保守，配電用又は制御用の機械器具の修理又は保守，発電機の修理又は保守，電動機の修理又は保守，理化学機械器具の修理又は保守，測定機械器具の修理又は保守，医療用機械器具の修理又は保守，銃砲の修理又は保守，印刷用又は製本用の機械器具の修理又は保守，化学機械器具の修理又は保守，ガラス器製造機械の修理又は保守，漁業用機械器具の修理又は保守，金属加工機械器具の修理又は保守，靴製造機械の修理又は保守，工業用炉の修理又は保守，鉱山機械器具の修理又は保守，ゴム製品製造機械器具の修理又は保守，半導体製造装置の修理又は保守，集積回路製造装置の修理又は保守，食料加工用又は飲料加工用の機械器具の修理又は保守，製材用・木工用又は合板用の機械器具の修理又は保守，繊維機械器具の修理又は保守，たばこ製造機械の修理又は保守，塗装機械器具の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，牛乳ろ過器の修理又は保守，搾乳機の修理又は保守，育雛器の修理又は保守，ふ卵器の修理又は保守，蚕種製造用又は養蚕用の機械器具の修理又は保守，パルプ製造用・製紙用又は紙工用の機械器具の修理又は保守，プラスチック加工機械器具の修理又は保守，包装用機械器具の修理又は保守，ミシンの修理又は保守，貯蔵槽類の修理又は保守，ガソリンステーション用装置の修理又は保守，機械式駐車装置の修理又は保守，業務用食器洗浄機の修理又は保守，業務用調理機械器具の修理又は保守，業務用電気洗濯機の修理又は保守，乗物用洗浄機の修理又は保守，自動販売機の修理又は保守，動力付床洗浄機の修理又は保守，遊園地用機械器具の修理又は保守，美容院用又は理髪店用の機械器具の修理又は保守，水質汚濁防止装置の修理又は保守，浄水装置の修理又は保守，廃棄物圧縮装置の修理又は保守，廃棄物破砕装置の修理又は保守，潜水用機械器具の修理又は保守，原子力発電プラントの修理又は保守，化学プラントの修理又は保守，案内標示装置の修理又は保守，活魚水槽の修理又は保守，自動調節弁その他のバルブの調整・修理又は保守，自動扉装置の修理又は保守，芝刈機の修理又は整備又はそれらの媒介，電気磁気測定器の保守・点検・校正及び修理，動力伝導装置又はバルブの修理又は保守，発光式電気掲示器を主とする視覚情報表示器の修理又は保守，光ケーブルの修理又は保守，部品組み立て用ロボットの修理又は保守，窯業用機械器具の修理又は保守，家具の修理，傘の修理，楽器の修理又は保守，金庫の修理又は保守，靴の修理，時計の修理又は保守，はさみ研ぎ及びほうちょう研ぎ，錠前の取付け又は修理，ガス湯沸かし器の修理又は保守，加熱器の修理又は保守，なべ類の修理又は保守，看板の修理又は保守，かばん類又は袋物の修理，身飾品の修理，おもちゃ又は人形の修理，運動用具の修理，ビリヤード用具の修理，遊戯用器具の修理，浴槽類の修理又は保守，洗浄機能付き便座の修理，釣り具の修理，眼鏡の修理，毛皮製品の手入れ又は修理，洗濯，被服のプレス，被服の修理，布団綿の打直し，畳類の修理，カーテンの修理又は保守，カーペットの修理又は保守，かつらの手入れ又は修理，家庭用浄水器の修理，計量米びつの修理，化粧用具の修理，氷削り器の修理，書画又は彫刻の修理，仏壇及び仏具の修理又は保守，ブラインドの修理又は保守，ベルト又はバンドの修理，マットレスの修理又は保守，魔法瓶の修理，ライターの修理，芳香器の保守及び修理，墓標及び石碑等の石製彫刻の修理，煙突の清掃，ビルの給排気口の清掃，建築物の外壁の清掃，窓の清掃，床敷物の清掃，床磨き，し尿処理槽の清掃，浴槽又は浴槽がまの清掃，道路の清掃，公園の清掃，運動場の清掃，放射線の除洗，貯蔵槽類の清掃，屋上ルーフドレーンの清掃，金属製品の内面洗浄及び化学洗浄，電話機の消毒，有害動物の防除（農業・園芸又は林業に関するものを除く。），医療用器具の殺菌・滅菌，土木機械器具の貸与，床洗浄機の貸与，モップの貸与，洗車機の貸与，電気洗濯機の貸与，衣類乾燥機の貸与，衣類脱水機の貸与，構築物の洗浄機械の貸与，修繕用機械器具の貸与」、第４０類「布地・被服又は毛皮の加工処理（乾燥処理を含む。），裁縫，ししゅう，電気めっき，フライス削り，焼きなまし，焼き戻し，溶融めっき，ゴムの加工，プラスチックの加工，セラミックの加工，木材の加工，紙の加工，石・石材・その他の鉱物性基礎材料の加工，甲殻・歯・牙・角・その他の動物性基礎材料の加工（毛皮の加工を除く。），動物の剥製，竹・木皮・とう・つる・その他の植物性基礎材料の加工（食物原材料の加工を除く。），食料品の加工，義肢又は義歯の加工（医療材料の加工を含む。），映画用フィルムの現像，写真の引き伸ばし，写真の焼付け，写真用フィルムの現像，製本，製本の取次ぎ，浄水処理，廃棄物の再生，原子核燃料の再加工処理，印章の彫刻，グラビア製版，合鍵の複製，園芸用土の加工，受託による園芸用の種子加工，絵画・彫刻等の美術品に使用する特殊額縁の加工，貴金属又は貴金属製品の加工，宝飾品の加工，軸装，受託による医薬品の抽出・精製及び合成，受託による病理組織標本の作製，受託による袋物・バッグ・財布の製作，受託による草履の製作，転写，電着植毛加工，物品への金属製ラベルの装着加工，眼鏡フレームの加工，眼鏡レンズの加工，繊維機械器具の貸与，写真の現像用・焼付け用・引き伸ばし用又は仕上げ用の機械器具の貸与，金属加工機械器具の貸与，製本機械器具の貸与，食料加工用又は飲料加工用の機械器具の貸与，製材用・木工用又は合板用の機械器具の貸与，パルプ製造用・製紙用又は紙工用の機械器具の貸与，浄水装置の貸与，廃棄物再生処理装置の貸与，化学機械器具の貸与，ガラス器製造機械の貸与，靴製造機械の貸与，たばこ製造機械の貸与，材料処理情報の提供，樹脂成形機の貸与，製薬機械の貸与，石材加工機械器具の貸与，塑性加工機械の貸与，塗装機械器具の貸与，ファインセラミックスに関する成形加工機械の貸与，一般廃棄物の処分，産業廃棄物の処分」、第４１類「野球の教授，その他の技芸・スポーツ又は知識の教授，研究用教材に関する情報の提供及びその仲介，セミナーの企画・運営又は開催，就職説明会の企画・運営又は開催，進学説明会の企画・運営又は開催，動物の調教，植物の供覧，動物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，教育・文化・娯楽・スポーツ用ビデオの制作（映画・放送番組・広告用のものを除く。），放送番組等の制作における演出，映像機器・音声機器等の機器であって、放送番組等の制作のために使用されるものの操作，アイスホッケーの興行の企画・運営又は開催，アメリカンフットボールの興行の企画・運営又は開催，空手の興行の企画・運営又は開催，ゴルフの興行の企画・運営又は開催，サッカーの興行の企画・運営又は開催，柔道の興行の企画・運営又は開催，スキーの興行の企画・運営又は開催，相撲の興行の企画・運営又は開催，体操競技の興行の企画・運営又は開催，テニスの興行の企画・運営又は開催，バスケットボールの興行の企画・運営又は開催，バレーボールの興行の企画・運営又は開催，プロレスリングの興行の企画・運営又は開催，ボクシングの興行の企画・運営又は開催，マラソン競技の興行の企画・運営又は開催，野球の興行の企画・運営又は開催，ヨットレースの興行の企画・運営又は開催，ラグビーの興行の企画・運営又は開催，ラクロス競技の興行の企画・運営又は開催，陸上競技の興行の企画・運営又は開催，カヌー大会の企画・運営又は開催，気球大会の企画・運営又は開催，剣道の大会の企画・運営又は開催，サーフィンの大会の企画・運営又は開催，スキューバーダイビングの大会の企画・運営又は開催，綱引き大会の企画・運営又は開催，徒歩運動の大会の企画・運営又は開催，ハングライダーの大会の企画・運営又は開催，自転車レースの興行の企画・運営又は開催，自動車レースの興行の企画・運営又は開催，モトクロスレースその他の二輪自動車レースの興行の企画・運営又は開催，アイススケートショーの興行の企画・運営又は開催，アクロバット自動車ショーの興行の企画・運営又は開催，航空ショーの企画・運営又は開催，サーカスの興行の企画・運営又は開催，ファッションショーの企画・運営又は開催，囲碁の興行の企画・運営又は開催，将棋の興行の企画・運営又は開催，オートキャンプの企画・運営又は開催，音楽コンテストの企画・運営又は開催，社交パーティーの企画・運営又は開催，ピアノの演奏のコンクールの企画・運営又は開催，フォトコンテストの企画・運営又は開催，競馬の企画・運営又は開催，競輪の企画・運営又は開催，競艇の企画・運営又は開催，小型自動車競走の企画・運営又は開催，音響用又は映像用のスタジオの提供，野球場の提供，その他の運動施設の提供，娯楽施設の提供，美術品その他芸術作品の展示のための施設の提供，映画・演芸・演劇・音楽又は教育研修のための施設の提供，カラオケ施設の提供，興行場の座席の手配，映写機及びその附属品の貸与，映写フィルムの貸与，楽器の貸与，野球用具の貸与，スキー用具の貸与，スキンダイビング用具の貸与，図書の貸与，レコード又は録音済み磁気テープの貸与，録画済み磁気テープの貸与，映像周波機械器具・音声周波機械器具・テレビジョン受信機・ラジオ受信機の貸与，野球・相撲・サッカー・その他のスポーツの興行の企画・運営又は開催に関する情報の提供，ネガフィルムの貸与，ポジフィルムの貸与，おもちゃの貸与，遊園地用機械器具の貸与，遊戯用器具の貸与，絵画の貸与，当せん金付証票の発売」及び第４２類「宿泊施設の提供，宿泊施設の提供の契約の媒介又は取次ぎ，飲食物の提供，美容，理容，入浴施設の提供，写真の撮影，ビデオカメラによる撮影，オフセット印刷，グラビア印刷，スクリーン印刷，石版印刷，凸版印刷，オフセット印刷・グラビア印刷・凸版印刷の取次ぎ，写植，版下作成，気象情報の提供，求人情報の提供，ファッション情報の提供，新聞・雑誌に掲載された記事の情報の提供，結婚又は交際を希望する者への異性の紹介，婚礼（結婚披露を含む。）のための施設の提供，結婚式場の紹介，結婚式場の予約の仲介，婚礼（結婚披露を含む。）に関する相談又は企画，葬儀の執行，法要のための施設の提供，墓地又は納骨堂の提供，ペットの納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，土木の設計，地質の調査，産業用ロボットの設計，自動組立装置の設計，自動搬送装置の設計，通信設備の設計，その他の機械・装置若しくは器具（これらの部品を含む。）又はこれらにより構成される設備の設計，ロゴ・デザインの考案，データ入力その他の電子計算機を用いて行う情報処理，情報処理システム設計に関する指導・診断及び助言，電子計算機のプログラムの設計・作成又は保守，電子計算機・自動車その他その用途に応じて的確な操作をするためには高度の専門的な知識・技術又は経験を必要とする機械の性能・操作方法等に関する紹介及び説明，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，衣服・社会風俗その他に関するファッションの研究，高圧ガス容器検査，国内及び輸出国の安全規格に基づく電気製品の試験，コンピュータの部品及び装置の試験又は評価，職業（職種・職務）適性検査，繊維検査，美術品の鑑定，宝石の鑑定，野生生物の分布調査及び生態調査，野生生物の保護管理に関する調査又は研究，著作権の利用に関する契約の代理又は媒介，社会保険に関する手続の代理，通訳，電子計算機端末による通信を用いて行う翻訳その他の翻訳，総合保安システムを用いた火災警備・ガス漏れ警備・防犯警備その他の施設の警備，身辺の警備，交通誘導の警備，輸送中の現金・有価証券・貴金属・美術品の警備，個人の身元又は行動に関する調査，身の上相談，印相鑑定，占い，人生相談，姓名判断，あん摩・マッサージ及び指圧，きゅう，柔道整復，はり，医業，医療情報の提供，健康診断，歯科医業，調剤，栄養の指導，家畜の診療，愛玩動物の一時預かり，愛玩動物の美容，保育所における乳幼児の保育，老人の養護，在宅療養者に対する介護，家事の代行，編み機の貸与，ミシンの貸与，衣服の貸与，植木の貸与，計測器の貸与，コンバインの貸与，祭壇の貸与，自動販売機の貸与，火災報知機の貸与，消火器の貸与，超音波診断装置の貸与，会議室の貸与，展示施設の貸与，会議のための施設の提供，集会のための施設の提供，多目的の利用に供する多目的ホールの提供，電子計算機（中央処理装置及び電子計算機用プログラムを記憶させた電子回路・磁気ディスク・磁気テープその他の周辺機器を含む。）の貸与，布団の貸与，ルームクーラーの貸与，理化学機械器具の貸与，カメラの貸与，光学機械器具の貸与，鉱山機械器具の貸与，漁業用機械器具の貸与，凸版印刷機の貸与，動力機械器具の貸与，風水力機械器具の貸与，冷凍機械器具の貸与，暖冷房装置の貸与，美容院用又は理髪店用の機械器具の貸与，業務用調理機械器具の貸与，ガソリンステーション用装置の貸与（自動車の修理又は整備業のものを除く。），芝刈機の貸与，加熱器の貸与，調理台の貸与，流し台の貸与，カーテンの貸与，家具の貸与，壁掛けの貸与，敷物の貸与，タオルの貸与，おしぼりの貸与，おむつの貸与，装身具の貸与，製図用具の貸与，プログラムの操作マニュアルの作成」と補正されたものである。
２　引用商標
　原査定において、本願の拒絶の理由に引用した登録第１４４３９８０号商標は、別掲（２）のとおりの構成よりなり、昭和５１年１２月１日に登録出願、第２０類「金庫、耐火書庫」を指定商品として、昭和５５年１１月２８日に設定登録され、現在も有効に存続しているものである。
３　当審の判断
　本願商標の指定商品及び指定役務については、前記１のとおり補正された結果、引用商標の指定商品と同一又は類似の商品は、すべて削除されたと認めれるものである。
　したがって、本願商標を商標法第４条第１項第１１号に該当するとした原査定の拒絶の理由は解消した。
　その他、本願について拒絶の理由を発見しない。
　よって、結論のとおり審決する。